(57)【特許請求の範囲】
【請求項１】
景品保持部が保持動作を行う景品獲得ゲーム装置に用いられ、落下された景品を景品取出口に導くための景品誘導空間の上方において横状態で配置される第１の棒状部材および第２の棒状部材に取り付けられる景品載置部であって、
前記景品が載置される景品載置面と、
前記第１の棒状部材を横方向から受け入れ、横方向の異なる位置において前記第１の棒状部材に対する前記景品載置部の上下方向への移動を規制する第１の取付部と、
前記第２の棒状部材を下方向から受け入れ、前記第２の棒状部材に対する前記景品載置部の下方向への移動と横方向への移動とを規制する第２の取付部と、
前記第２の取付部に設けられ、前記第２の棒状部材に対する前記景品載置部の上方向への移動を規制する固定部と、
を備えることを特徴とする景品載置部。
【請求項２】
請求項１において、
複数組の前記第１の取付部および前記第２の取付部を備えることを特徴とする景品載置部。
【請求項３】
景品が載置される景品載置部と前記景品が落下する開口エリアとを含むゲームフィールドと、
前記ゲームフィールドの上方を移動して保持動作を行い、前記開口エリアの上方に移動して開放動作を行い、前記景品を前記開口エリアに落下させる景品保持部と、
前記景品保持部の移動・動作制御を行う移動・動作制御部と、
前記開口エリアに落下された前記景品をプレーヤが取り出すための景品取出口と、
前記ゲームフィールドの下方に設けられ、前記開口エリアに落下された前記景品を前記景品取出口に導くための景品誘導空間と、
前記景品載置部が取り付けられる第１の棒状部材および第２の棒状部材と、
前記第１の棒状部材および前記第２の棒状部材が前記景品誘導空間の上方において横状態で配置されるように、かつ前記第１の棒状部材および前記第２の棒状部材の少なくとも一方の配置位置を変更可能に、前記第１の棒状部材および前記第２の棒状部材を支持する一組の支持部と、
を備え、
前記景品載置部は、
前記景品が載置される景品載置面と、
前記第１の棒状部材を横方向から受け入れ、横方向の異なる位置において前記第１の棒状部材に対する前記景品載置部の上下方向への移動を規制する第１の取付部と、
前記第２の棒状部材を下方向から受け入れ、前記第２の棒状部材に対する前記景品載置部の下方向への移動と横方向への移動とを規制する第２の取付部と、
前記第２の取付部に設けられ、前記第２の棒状部材に対する前記景品載置部の上方向への移動を規制する固定部と、
を備えることを特徴とする景品獲得ゲーム装置。
【請求項４】
請求項３において、
前記景品載置部は、
複数組の前記第１の取付部および前記第２の取付部を備えることを特徴とする景品獲得ゲーム装置。
【発明の詳細な説明】
【技術分野】
【０００１】
本発明は、景品獲得ゲーム装置用の景品載置部および景品獲得ゲーム装置に関する。
【背景技術】
【０００２】
従来より、景品を保持する景品保持部をプレーヤが操作し、筺体の内部の景品載置エリアに載置された景品を開口エリアに移動させるとプレーヤが景品を獲得することができる景品獲得ゲーム装置が知られている。そしてこのような景品獲得ゲーム装置には、景品載置エリアの位置などを変更することによりゲーム性を変化させるものが存在する（特許文献１）。
【先行技術文献】
【特許文献】
【０００３】
【特許文献１】特開２００５−２０５１６９号公報
【発明の概要】
【発明が解決しようとする課題】
【０００４】
かかる従来の景品獲得ゲーム装置では、例えば景品を載置するための板状部材の端部を景品誘導空間の外縁の任意の位置に固定して、景品載置エリアを景品誘導空間の上方の任意の位置に形成していた。しかしこのような手法では、景品載置エリアの態様の変化に限界があった。
【０００５】
本発明は、このような事情に鑑みてなされたものであり、景品載置エリアを様々な態様に変化させることができる景品獲得ゲーム装置用の景品載置部および景品獲得ゲーム装置を提供することを目的とする。
【課題を解決するための手段】
【０００６】
（１）本発明は、
景品保持部が保持動作を行う景品獲得ゲーム装置に用いられ、落下された景品を景品取出口に導くための景品誘導空間の上方において横状態で第１の棒状部材および第２の棒状部材を支持する支持部であって、
前記景品誘導空間の外縁の複数の位置のいずれか、および前記景品誘導空間の上方に配置され前記景品が載置される景品載置部の外周の複数の位置のいずれかの少なくとも一方に着脱可能に取り付けられることを特徴とする支持部に関係する。
【０００７】
本発明では、第１の棒状部材および第２の棒状部材に景品を載置することにより第１の棒状部材および第２の棒状部材を景品載置エリアとして機能させるようにしてもよいし、第１の棒状部材および第２の棒状部材に例えば板状部材などにより構成される景品載置部を取り付け、景品載置部に景品を載置することにより景品載置部を景品載置エリアとして機能させるようにしてもよい。
【０００８】
本発明によれば、支持部が取り付けられる位置を、景品誘導空間の外縁においてあるいは景品載置部の外周において変化させることにより、景品誘導空間の上方における第１の棒状部材および第２の棒状部材の配置位置を様々な態様で変化させることができる。これにより本発明によれば、景品誘導空間の上方において景品載置エリアを様々な態様で形成することができる。
【０００９】
（２）また本発明では、
前記第１の棒状部材を支持する位置および前記第２の棒状部材を支持する位置の少なくとも一方を変更可能に、前記第１の棒状部材および前記第２の棒状部材を支持するようにしてもよい。
【００１０】
本発明によれば、第１の棒状部材の支持位置および第２の棒状部材の支持位置の少なくとも一方を変化させることにより、景品誘導空間の上方における第１の棒状部材および第２の棒状部材の配置位置を様々な態様で変化させることができる。これにより本発明によれば、景品誘導空間の上方において景品載置エリアを更に様々な態様で形成することができる。
【００１１】
（３）本発明は、
景品保持部が保持動作を行う景品獲得ゲーム装置に用いられ、落下された景品を景品取出口に導くための景品誘導空間の上方において横状態で配置される第１の棒状部材および第２の棒状部材に取り付けられる景品載置部であって、
前記景品が載置される景品載置面と、
前記第１の棒状部材を横方向から受け入れ、横方向の異なる位置において前記第１の棒状部材に対する前記景品載置部の上下方向への移動を規制する第１の取付部と、
前記第２の棒状部材を下方向から受け入れ、前記第２の棒状部材に対する前記景品載置部の下方向への移動と横方向への移動とを規制する第２の取付部と、
前記第２の取付部に設けられ、前記第２の棒状部材に対する前記景品載置部の上方向への移動を規制する固定部と、
を備えることを特徴とする景品載置部に関係する。
【００１２】
本発明によれば、第１の取付部と第２の取付部と固定部とによって、景品載置部を第１の棒状部材および第２の棒状部材に対して安定的に取り付けることができ、例えば景品保持部が景品載置部の端部において保持動作を行うことにより景品載置部に対して保持動作を行ってしまうような場合でも、第１の棒状部材および第２の棒状部材から景品載置部が外れてしまうような事態を防止することができる。そして第１の取付部は、横方向の異なる位置において第１の棒状部材に対する景品載置部の上下方向への移動を規制するので、第１の棒状部材および第２の棒状部材の少なくとも一方の配置位置が変化しても、第１の取付部を第１の棒状部材に取り付けるとともに、第２の取付部を第２の棒状部材に取り付けることができる。従って本発明によれば、景品誘導空間の上方において景品載置部を様々な態様で安定的に配置することができる。
【００１３】
（４）また本発明では、
複数組の前記第１の取付部および前記第２の取付部を備えるようにしてもよい。
【００１４】
本発明によれば、第１の棒状部材および第２の棒状部材に取り付けられる第１の取付部および第２の取付部の組合せを変化させることにより、第１の棒状部材および第２の棒状部材に対する景品載置部の向きを変化させたり、取り付け位置を増加させたりすることができる。
【００１５】
（５）本発明は、
景品が載置される景品載置エリアと前記景品が落下する開口エリアとを含むゲームフィールドと、
前記ゲームフィールドの上方を移動して保持動作を行い、前記開口エリアの上方に移動して開放動作を行い、前記景品を前記開口エリアに落下させる景品保持部と、
前記景品保持部の移動・動作制御を行う移動・動作制御部と、
前記開口エリアに落下された前記景品をプレーヤが取り出すための景品取出口と、
前記ゲームフィールドの下方に設けられ、前記開口エリアに落下された前記景品を前記
景品取出口に導くための景品誘導空間と、
第１の棒状部材および第２の棒状部材と、
前記第１の棒状部材および前記第２の棒状部材が前記景品誘導空間の上方において横状態で配置されるように、前記第１の棒状部材および前記第２の棒状部材を支持する一組の支持部と、
を備え、
前記支持部は、
前記景品誘導空間の外縁の複数の位置のいずれか、および前記景品誘導空間の上方に配置され前記景品が載置される景品載置部の外周の複数の位置のいずれかの少なくとも一方に着脱可能に取り付けられることを特徴とする景品獲得ゲーム装置に関係する。
【００１６】
（６）本発明は、
景品が載置される景品載置部と前記景品が落下する開口エリアとを含むゲームフィールドと、
前記ゲームフィールドの上方を移動して保持動作を行い、前記開口エリアの上方に移動して開放動作を行い、前記景品を前記開口エリアに落下させる景品保持部と、
前記景品保持部の移動・動作制御を行う移動・動作制御部と、
前記開口エリアに落下された前記景品をプレーヤが取り出すための景品取出口と、
前記ゲームフィールドの下方に設けられ、前記開口エリアに落下された前記景品を前記景品取出口に導くための景品誘導空間と、
前記景品載置部が取り付けられる第１の棒状部材および第２の棒状部材と、
前記第１の棒状部材および前記第２の棒状部材が前記景品誘導空間の上方において横状態で配置されるように、かつ前記第１の棒状部材および前記第２の棒状部材の少なくとも一方の配置位置を変更可能に、前記第１の棒状部材および前記第２の棒状部材を支持する一組の支持部と、
を備え、
前記景品載置部は、
前記景品が載置される景品載置面と、
前記第１の棒状部材を横方向から受け入れ、横方向の異なる位置において前記第１の棒状部材に対する前記景品載置部の上下方向への移動を規制する第１の取付部と、
前記第２の棒状部材を下方向から受け入れ、前記第２の棒状部材に対する前記景品載置部の下方向への移動と横方向への移動とを規制する第２の取付部と、
前記第２の取付部に設けられ、前記第２の棒状部材に対する前記景品載置部の上方向への移動を規制する固定部と、
を備えることを特徴とする景品獲得ゲーム装置に関係する。
【図面の簡単な説明】
【００１７】
【図１】本実施形態の景品獲得ゲーム装置の外観を示す斜視図である。
【図２】本実施形態の第１の支持部および第２の支持部の外観を示す斜視図である。
【図３】本実施形態の第１の支持部の内部構造を示す斜視図である。
【図４】本実施形態の第１の支持部および第２の支持部の内部構造を示す断面図である。
【図５】本実施形態の第１の支持部および第２の支持部の外観を示す斜視図である。
【図６】本実施形態の枠部と第１の支持部および第２の支持部の組み立て図である。
【図７】本実施形態の第１の支持部および第２の支持部の取り付け例を示す斜視図である。
【図８】本実施形態の景品載置部と枠部と第１の支持部および第２の支持部の組み立て図である。
【図９】本実施形態の第１の支持部および第２の支持部の取り付け例を示す斜視図である。
【図１０】本実施形態の景品載置部の側面図である。
【図１１】本実施形態の第１の取付部の外観を示した斜視図である。
【図１２】本実施形態の第２の取付部と固定部の外観を示した斜視図である。
【図１３】本実施形態の手順を示す側面図である。
【図１４】本実施形態の景品載置部の取り付け例を示す側面図である。
【図１５】本実施形態の景品載置部の裏面の外観を示す平面図である。
【図１６】本実施形態の景品獲得ゲーム装置の機能を示すブロック図である。
【図１７】他の実施形態の第２の取付部と固定部の外観を示した斜視図である。
【発明を実施するための形態】
【００１８】
１．景品獲得ゲーム装置の構成
図１は、本実施形態の景品獲得ゲーム装置１０の外観を示す斜視図である。本実施形態の景品獲得ゲーム装置１０は、プレーヤが景品保持部１２を操作して、景品獲得ゲーム装置１０の内部に載置された景品を獲得するゲームを行うものである。
【００１９】
図１に示すように本実施形態の景品獲得ゲーム装置１０の上部側面は、例えばアクリル板のような透明板１４によって構成されており、プレーヤが景品獲得ゲーム装置１０の内部の状態を視認できるようになっているとともに、景品獲得ゲーム装置１０の内部を触れることができないようになっている。そして、景品獲得ゲーム装置１０の内部には、景品が載置される景品載置エリア１６と景品が落下する開口エリア１８とを含むゲームフィールド２０が形成されている。
【００２０】
このゲームフィールド２０の下方には、ゲームフィールド２０のほぼ全面に対応した範囲で上部が矩形状に開口された景品誘導空間２２が設けられており、この景品誘導空間２２は、プレーヤが景品を取り出すために景品獲得ゲーム装置１０の前面下部に設けられた景品取出口２４に連通している。そして景品誘導空間２２は、景品取出口２４に向けて下るように傾斜する斜面２５の上方で形成されており、景品誘導空間２２に落下した景品を景品取出口２４に誘導する。
【００２１】
そして景品誘導空間２２の上方には、複数の棒状部材２６（第１の棒状部材２６−１および第２の棒状部材２６−２の一例）が、その長手方向を横方向とする横状態で、景品誘導空間２２の上方を横断するように配置されている。本実施形態では棒状部材２６として、直径が１ｃｍで長さが８０ｃｍの金属製の棒形状の部材が用いられている。そして複数の棒状部材２６は、その長手方向の両端部において、景品誘導空間２２の右側の上端の外縁に取り付けられた第１の支持部２８と、景品誘導空間２２の左側の上端の外縁に取り付けられた第２の支持部３０（一組の支持部の一例）とによって支持されている。そして複数の棒状部材２６には景品が載置される。
【００２２】
このように本実施形態では、棒状部材２６が配置された領域が、景品が載置される景品載置エリア１６として機能し、棒状部材２６が配置されない領域が、景品が落下する開口エリア１８として機能する。
【００２３】
一方、ゲームフィールド２０の上方には、景品を移動させるための景品保持部１２が設けられている。この景品保持部１２は、景品獲得ゲーム装置１０の前板８６中央部に設けられた第１ボタン３２や第２ボタン３４などに対するプレーヤの操作情報の入力に基づいて、ゲームフィールド２０の上方を前後左右上下に移動する。また景品保持部１２は、景品保持部１２に設けられた２本のアーム部３６を閉じる保持動作を行うことにより景品を保持し、２本のアーム部３６を開く開放動作を行うことにより保持した景品を開放する。すなわち景品保持部１２は、移動動作、保持動作、開放動作を行うことにより、景品載置エリア１６に載置された景品を移動させる。
【００２４】
特に本実施形態では、景品保持部１２は、ゲームフィールド２０の上方の左手前側の隅を初期位置として２本のアーム部３６を開いた状態で待機しており、プレーヤが第１ボタン３２を押下すると第１ボタン３２の押下が解除されるまで右方向に移動し、プレーヤが第２ボタン３４を押下すると第２ボタン３４の押下が解除されるまで奥方向に移動する。そして第２ボタン３４の押下が解除されると、自動的に下方向への移動を開始する。そして景品保持部１２が棒状部材２６や景品に接触したり、景品保持部において定められた下限位置まで移動すると、下方向への移動を停止して自動的に２本のアーム部３６を閉じる保持動作を行う。すると景品保持部１２は、２本のアーム部３６を閉じたまま自動的に上方向への移動を開始し、上限位置まで移動すると上方向への移動を停止し、自動的に開口エリア１８の上方の位置へ移動する。そして開口エリア１８の上方の位置に到達すると、景品保持部１２は、２本のアーム部３６を開く開放動作を行い、景品を保持していた場合には、保持していた景品を開口エリア１８に落下させる。
【００２５】
なお本実施形態では、景品保持部１２の前後左右方向の移動範囲は、景品誘導空間２２が開口されている範囲に対応しており、開口エリア１８が景品誘導空間２２の上方のいかなる領域において形成されても、開口エリア１８の上方に移動して開放動作を行うことができるようになっている。
【００２６】
２．支持部の構成
次に、第１の支持部２８および第２の支持部３０の構成の詳細について説明する。本実施形態の第１の支持部２８および第２の支持部３０は、棒状部材２６が景品誘導空間２２の上方において横状態で配置されるように、かつ棒状部材２６の配置位置を景品誘導空間２２の上方において変更可能に、棒状部材２６を支持する。これにより景品獲得ゲーム装置１０では、景品誘導空間２２の上方において景品載置エリア１６を様々な態様で形成することができる。
【００２７】
２−１．棒状部材の支持位置の変更による棒状部材の配置位置の変更
図２は、景品誘導空間２２の上端の外縁に取り付けられている状態の第１の支持部２８および第２の支持部３０の外観を示す斜視図である。図２に示すように第１の支持部２８および第２の支持部３０は、矩形の板状の形状を有しており、横方向に３行、縦方向に７列の合計２１個の穴部３８（支持位置の一例）が、１つの面にマトリクス状に配列されている。そして各穴部３８は、棒状部材２６の直径よりも若干大きな直径（例えば１．１ｃｍ）を有しており、各穴部３８に１本の棒状部材２６を挿入することができるようになっている。
【００２８】
そして第１の支持部２８および第２の支持部３０は、図２に示すように、穴部３８が設けられた面が向かい合いつつ平行となるように、景品誘導空間２２の右側上端の外縁と左側上端の外縁とに取り付けられる。ここで第１の支持部２８および第２の支持部３０の各穴部３８は、このような状態において第１の支持部２８および第２の支持部３０の各穴部３８が面対称（鏡映対称）となるように設けられている。
【００２９】
従って本実施形態の景品獲得ゲーム装置１０では、景品獲得ゲーム装置１０が設置されている店舗の店員などの管理者が、棒状部材２６の右端を第１の支持部２８のいずれかの穴部３８に挿入し、棒状部材２６の左端を第２の支持部３０のいずれかの穴部３８に挿入することにより、棒状部材２６を景品誘導空間２２の上方において任意の位置に横状態で配置することができる。すなわち本実施形態では、第１の支持部２８および第２の支持部３０が、第１の支持部２８が棒状部材２６を支持する支持位置と、第２の支持部３０が棒状部材２６を支持する支持位置とを変更可能に棒状部材２６を支持することにより、棒状部材２６の配置位置を景品誘導空間２２の上方において変更することができる。
【００３０】
図３は、第１の支持部２８の内部構造を示す斜視図である。図３に示すように、第１の支持部２８の内部には、各穴部３８に対応する位置に、各穴部３８に挿入された棒状部材２６の先端と接触する第１の接触部４０が設けられている。この第１の接触部４０は、横方向に配列された７個の穴部３８について共通に設けられている。また第１の支持部２８の内部には、棒状部材２６が挿入される方向に沿う方向に延びる円柱状のガイド４２が設けられており、このガイド４２が第１の接触部４０の長手方向の両端において第１の接触部４０を貫通することにより、第１の接触部４０は棒状部材２６が挿入される方向に沿って往復移動可能となっている。そして各ガイド４２の外周には圧縮バネ４４が設けられており、棒状部材２６が穴部３８に挿入されて第１の接触部４０が穴部３８から離れるように移動されると、圧縮バネ４４は棒状部材２６を押し戻す方向に力を作用させる。
【００３１】
図４（Ａ）〜（Ｃ）は、棒状部材２６が取り付けられる際の第１の支持部２８および第２の支持部３０の内部構造を示す断面図である。図４（Ａ）に示すように、棒状部材２６の長手方向の長さは、第１の支持部２８および第２の支持部３０の対向面（穴部３８が設けられた面）の間の距離よりも長くなっているが、棒状部材２６を水平方向に対して斜めにすることにより、管理者は棒状部材２６の右端を第１の支持部２８の任意の穴部３８に挿入することができる。そして棒状部材２６の右端が穴部３８に挿入されると、図４（Ｂ）に示すように、上述した第１の接触部４０が、圧縮バネ４４により棒状部材２６を押し戻す方向に力を作用させつつ、棒状部材２６が挿入される方向に後退する。
【００３２】
一方、図中左側の第２の支持部３０の内部には、各穴部３８に対応する位置に、各穴部３８に挿入された棒状部材２６の左端と接触する第２の接触部４６が固定的に設けられている。そして、図４（Ｃ）に示すように、棒状部材２６の右端が第１の支持部２８の穴部３８に挿入された状態で、棒状部材２６の左端が第２の支持部３０の対応する穴部３８に挿入されると、第１の接触部４０に設けられた圧縮バネ４４が縮んだ状態で（弾性エネルギーを蓄積している状態で）、棒状部材２６の左端が第２の接触部４６に到達する。これにより棒状部材２６は、その右端が第１の支持部２８の穴部３８に挿入され、左端が第２の支持部３０の穴部３８に挿入されつつ、第１の接触部４０によって第２の接触部４６に押しつけられるようにして安定的に支持される。
【００３３】
このように本実施形態の景品獲得ゲーム装置１０では、管理者は、棒状部材２６の右端を第１の支持部２８のいずれかの穴部３８に挿入してから、棒状部材２６の左端を第２の支持部３０の対応する穴部３８に挿入することによって、棒状部材２６を第１の支持部２８および第２の支持部３０に簡単に取り付けることができる。そして上述した手順の逆の手順によって棒状部材２６を第１の支持部２８および第２の支持部３０から簡単に取り外すことができる。
【００３４】
図５は、異なる穴部３８に棒状部材２６が挿入される際の第１の支持部２８および第２の支持部３０の外観を示す斜視図である。本実施形態では、棒状部材２６の長さが、第１の支持部２８および第２の支持部３０の対向面（穴部３８が設けられた面）の間の距離よりも十分に長くなっており、例えば図５に示すように、第１の支持部２８の第３行第１列の穴部３８−３１と第２の支持部３０の第１行第１列の穴部３８−１１との間の距離よりも長く形成されている。そして、第１の支持部２８および第２の支持部３０に対する棒状部材２６の挿入角度が垂直である状態（垂直状態、あるいは水平状態：横状態の一例）のみならず、垂直に対して所定角度を有する状態（斜め状態：横状態の一例）であっても棒状部材２６が挿入されるように、第１の支持部２８および第２の支持部３０の穴部３８が構成されている。更に、最も距離が近い向かい合う２つの穴部３８に棒状部材２６が挿入される場合でも、第１の支持部２８の穴部３８に棒状部材２６の右端が挿入されている状態で第２の支持部３０の穴部３８に棒状部材２６の左端が挿入されるように、第１の支持
部２８の内部における第１の接触部４０の移動範囲が定められている。
【００３５】
これにより本実施形態の第１の支持部２８および第２の支持部３０は、図５に示すように、最も距離が近い向かい合う２つの穴部３８によって棒状部材２６を垂直状態で支持するのみならず、例えば第１の支持部２８の第２行第１列の穴部３８−２１と第２の支持部３０の第１行第１列の穴部３８−１１とによって、あるいは第１の支持部２８の第３行第１列の穴部３８−３１と第２の支持部３０の第１行第１列の穴部３８−１１とによって、棒状部材２６を斜め状態で支持することができる。すなわち、第１の支持部２８および第２の支持部３０は、棒状部材２６の他端が挿入される穴部３８を、棒状部材２６の一端が挿入された穴部３８と向かい合う穴部３８に対して上下方向で位置が異なる穴部３８としても、斜め状態で棒状部材２６を支持することができる。
【００３６】
更に、第１の支持部２８および第２の支持部３０は、棒状部材２６の他端が挿入される穴部３８を、棒状部材２６の一端が挿入された穴部３８と向かい合う穴部３８に対して横方向で位置が異なる穴部３８としても、斜め状態で棒状部材２６を支持することができる。例えば、第１の支持部２８の第１行第４列の穴部３８−１４と第２の支持部３０の第１行第１列の穴部３８−１１とによって、あるいは第１の支持部２８の第２行第３列の穴部３８−２３と第２の支持部３０の第１行第１列の穴部３８−１１とによって、棒状部材２６を斜め状態で支持することができる。すなわち本実施形態では、棒状部材２６が配置される角度を変化させつつ、棒状部材２６の配置位置を景品誘導空間２２の上方において変更できるようになっている。
【００３７】
２−２．支持部の配置位置の変更による棒状部材の配置位置の変更
図６は、景品誘導空間２２の上端の外縁を構成する枠部４８と、第１の支持部２８および第２の支持部３０の組み立て図である。図６に示すように、景品誘導空間２２の上端の外縁は、正方形状の枠部４８により構成されている。そして、第１の支持部２８および第２の支持部３０の下端からは板状部材５０が下方に向かって突出しており、板状部材５０には、２つのネジ穴５２が設けられている。そして、板状部材５０に設けられた２つのネジ穴５２の位置と、枠部４８の内周面に設けられた２つのネジ穴５２の位置（取付位置の一例）とが一致する状態でネジ穴５２にネジ５４が挿入されることにより、第１の支持部２８および第２の支持部３０は景品誘導空間２２の上端の外縁の所定の位置に取り付けられる。なお、本実施形態では、第１の支持部２８および第２の支持部３０を取り付けるためのネジ５４は、ネジ頭が直径１ｃｍ程のツマミにより構成されており、管理者は工具を用いずにネジ５４をネジ穴５２に挿入した状態で締めるあるいは緩めることができる。
【００３８】
ここで図６に示すように、第１の支持部２８および第２の支持部３０の横幅は、枠部４８の内周の一辺の長さの３分の１よりも短い長さに形成されている。そして、枠部４８の各辺に３組の２つのネジ穴５２が設けられることにより、枠部４８の内周面には、合計１２組の２つのネジ穴５２が設けられている。すなわち本実施形態では、枠部４８の内周面の１２箇所に、第１の支持部２８および第２の支持部３０の取付位置が設けられている。そして、枠部４８の向かい合う辺の各辺における取付位置が面対称となるように、各組の２つのネジ穴５２が設けられている。
【００３９】
従って本実施形態では、例えば図７に示すように、第１の支持部２８の取付位置を枠部４８の右側手前の位置とし、第２の支持部３０の取付位置を左側手前の位置とすれば、景品誘導空間２２の上方の領域のうち手前の領域において左右方向に向けて棒状部材２６を配置することができる。また、第１の支持部２８の取付位置を枠部４８の奥側中央の位置とし、第２の支持部３０の取付位置を手前側中央の位置とすれば、景品誘導空間２２の上方の領域のうち中央の領域において手前奥方向に向けて棒状部材２６を配置することができる。
【００４０】
このように本実施形態の景品獲得ゲーム装置１０では、管理者が、第１の支持部２８をいずれかの取付位置に取り付け、第２の支持部３０を第１の支持部２８の取付位置に向かい合う取付位置に取り付けることができる。従って本実施形態では、第１の支持部２８および第２の支持部３０の取付位置を景品誘導空間２２の上端の外縁において変化させることにより、棒状部材２６の配置位置を景品誘導空間２２の上方において変更することができる。
【００４１】
図８は、景品が載置される景品載置部５６と、枠部４８と、第１の支持部２８および第２の支持部３０の組み立て図である。本実施形態では、図８に示すように、景品誘導空間２２の上端の外縁を構成する枠部４８に、矩形の板状の形状を有する景品載置部５６を配置することができるようになっており、景品載置部５６が配置された領域も景品載置エリア１６として機能させることができる。このため、枠部４８の内周面の下端からは、内側方向に向かって水平に１ｃｍ程の幅を有する配置面５８が設けられており、この配置面５８により、景品載置部５６を景品誘導空間２２の上方の任意の位置に配置することができるようになっている。
【００４２】
ここで図８の例の景品載置部５６は、長辺が枠部４８の内周の一辺の長さとほぼ同一の長さで、短辺が枠部４８の内周の一辺の長さの約３分の１の長さの長方形状に形成されている。従って、景品載置部５６の辺と枠部４８の辺とが平行になるように景品載置部５６が配置面５８の上に配置されると、景品誘導空間２２の上方の領域のうち３分の１の領域を景品載置エリア１６として機能させることができる。そしてこの景品載置部５６の側面（外周の一例）には、枠部４８の内周面と同様に、第１の支持部２８および第２の支持部３０を取り付けるための２つのネジ穴５２が設けられている。図８の例の景品載置部５６では、その２つの長辺にそれぞれ３組の２つのネジ穴５２が設けられることにより、景品載置部５６の側面には、合計６組の２つのネジ穴５２が設けられている。すなわち本実施形態では、景品載置部５６の側面の６箇所に、第１の支持部２８および第２の支持部３０の取付位置が設けられている。
【００４３】
従って本実施形態では、例えば図９に示すように、景品載置部５６の配置位置を枠部４８の手前側中央と奥側中央の位置とすることにより、景品載置部５６を景品誘導空間２２の上方の中央部において手前奥方向に配置することができるとともに、第１の支持部２８の取付位置を景品載置部５６の右側中央の位置とし、第２の支持部３０の取付位置を景品載置部５６の左側中央の位置とすることができる。
【００４４】
ここで、このような場合には、第１の支持部２８と第２の支持部３０との間の距離が、景品載置部５６の短辺に相当する長さ（枠部４８の内周の一辺の長さの約３分の１の長さ）となるが、本実施形態では、第１の支持部２８および第２の支持部３０の取付位置に応じて、長さが異なる複数種類の棒状部材２６が用意されている。従ってこのような場合には、枠部４８の内周の一辺の長さの約３分の１の長さに形成された最も短い棒状部材２６を用いることにより、第１の支持部２８および第２の支持部３０に棒状部材２６を取り付けることができる。
【００４５】
これにより本実施形態では、第１の支持部２８と第２の支持部３０との間の距離が変化しても、第１の支持部２８および第２の支持部３０に棒状部材２６を取り付けることができ、例えば図９に示すように、景品誘導空間２２の上方の領域のうち中央の領域において左右方向に向けて棒状部材２６を配置することができる。また、第１の支持部２８の取付位置を景品載置部５６の右側手前の位置とし、第２の支持部３０の取付位置を枠部４８の左側手前の位置とした場合には、枠部４８の内周の一辺の長さの約３分の２の長さに形成された棒状部材２６を用いることにより、第１の支持部２８および第２の支持部３０に棒
状部材２６を取り付けることができる。そしてこのような場合には、景品誘導空間２２の上方の領域のうち手前側右３分の２の領域において左右方向に向けて棒状部材２６を配置することができる。
【００４６】
このように本実施形態の景品獲得ゲーム装置１０では、管理者が、第１の支持部２８を枠部４８または景品載置部５６のいずれかの取付位置に取り付け、第２の支持部３０を第１の支持部２８の取付位置に対応する枠部４８または景品載置部５６のいずれかの取付位置に取り付けることにより、棒状部材２６を任意の位置に配置することができる。すなわち本実施形態では、第１の支持部２８および第２の支持部３０の取付位置を景品載置部５６の外周において変化させることにより、棒状部材２６の配置位置を景品誘導空間２２の上方において変更することができる。
【００４７】
３．景品載置部の構成
続いて、景品載置部５６の構成の詳細について説明する。本実施形態では景品載置部５６は、上述したように枠部４８の配置面５８に配置されることにより、景品誘導空間２２の上方に配置されることができるが、上述のように様々な態様で配置される棒状部材２６に対して取り付けられることによっても、景品誘導空間２２の上方に配置されることができる。これにより景品獲得ゲーム装置１０では、景品誘導空間２２の上方において景品載置エリア１６を様々な態様で形成することができる。
【００４８】
３−１．取付部の構成
図１０は、図８で示した景品載置部５６の短辺の側面を真横から見た側面図である。図１０に示すように、景品載置部５６は、景品が載置される景品載置面６０を備えるとともに、景品載置面６０の裏面側には、景品載置部５６を第１の棒状部材２６−１に対して取り付けるための第１の取付部６２と、第２の棒状部材２６−２に対して取り付けるための第２の取付部６４と、固定部６６とを備えている。
【００４９】
第１の取付部６２は、景品載置部５６の重心よりも一方側に設けられており、第１の棒状部材２６−１を横方向（景品載置面に沿う方向）から受け入れ、横方向の異なる位置において第１の棒状部材２６−１に対する景品載置部５６の上下方向への移動を規制する。
【００５０】
図１１は、第１の取付部６２の外観を示した斜視図である。図１１に示すように、第１の取付部６２は、厚さが１ｍｍ程の金属製の１枚の板が、第１の棒状部材２６−１を受け入れられるように曲げ加工されることにより形成されている。詳細には第１の取付部６２には、景品載置面６０と平行に設けられ、第１の取付部６２が棒状部材２６を受け入れた場合に棒状部材２６の下部と線接触する第1の下板６８と、第1の下板６８の後端から上方向に垂直に立ち上がる後板７０と、後板７０の上部から前方向に垂直に延び、第１の棒状部材２６−１の上部と２点において点接触する第１の上板７２とが形成されている。
【００５１】
これにより第１の取付部６２は、第1の下板６８と後板７０と第１の上板７２との間に
、高さが棒状部材２６の直径に対応し、奥行きが複数本分の棒状部材２６の直径に対応しつつ、景品載置面６０と平行となる第１の空間７４を形成している。そして第１の取付部６２では、第１の上板７２の前端と第1の下板６８の前端との間が開放されていることに
より、第１の空間７４の前端が第１の開放端７６となっている。そして第１の空間７４は、その左右側も開放されているため、第１の取付部６２は、第１の空間７４に図中左右方向に延びる第１の棒状部材２６−１を図中手前側（横方向の一例）から受け入れることができる。そして第１の取付部６２は、このようにして第１の棒状部材２６−１を受け入れると、第１の棒状部材２６−１に対する景品載置部５６の上下方向への移動を規制しつつ横方向への移動を許容する。
【００５２】
また図１０に示すように、第２の取付部６４は、景品載置部５６の重心よりも他方側に設けられており、第２の棒状部材２６−２を下方向から受け入れ、第２の棒状部材２６−２に対する景品載置部５６の下方向への移動と横方向への移動とを規制する。そして固定部６６は、第２の取付部６４に設けられ、第２の取付部６４が第２の棒状部材２６−２を受け入れた後に、第２の棒状部材２６−２に対する景品載置部５６の上方向への移動を規制する。
【００５３】
図１２は、第２の取付部６４と固定部６６の外観を示した斜視図である。図１２に示すように、第２の取付部６４は、平面状に形成された部材であって、景品載置面６０に対して垂直に設けられる平板７８と、第２の棒状部材２６−２を受け入れられるように曲げ加工された曲板８０とを有しており、平板７８と曲板８０とは、それぞれの上半分部分においてネジ穴５２を貫通するネジ５４を介して連結されている。なお、本実施形態では、第２の取付部６４に設けられているネジ穴５２およびネジ５４は、第１の支持部２８および第２の支持部３０を取り付けるためのネジ穴５２およびネジ５４と共通のものとされている。
【００５４】
詳細には平板７８は、その上半分部分において曲板８０の上半分部分と面接触しつつ、その下半分部分において、第２の取付部６４が第２の棒状部材２６−２を受け入れた場合に第２の棒状部材２６−２の後側部と線接触する。そして曲板８０には、厚さが１ｍｍ程の金属製の１枚の板が曲げ加工されることにより、平板７８の上半分部分と面接触しつつ平板７８に対してネジ５４を介して連結される連結板８２と、連結板８２の下端から前方向に垂直に延び、第２の取付部６４が第２の棒状部材２６−２を受け入れた場合に第２の棒状部材２６−２の上部と線接触する第２の上板８４と、第２の上板８４の前端から下方向に垂直に（平板７８の下半分部分と平行に）延び、第２の棒状部材２６−２の前側部と線接触する前板８６と、前板８６の下端から平板７８の下半分部分に近づく方向に斜めに延び、第２の棒状部材２６−２の下部と線接触する第２の下板８８とが形成されている。これにより第２の取付部６４には、平板７８の下半分部分と第２の上板８４と前板８６と第２の下板８８との間に、１本の棒状部材２６の断面積に対応する第２の空間９０が形成されている。そして第２の取付部６４では、第２の下板８８の先端と平板７８の下半分部分の下端との間が開放されていることにより、第２の空間９０の下端が第２の開放端９２となっている。
【００５５】
そして第２の取付部６４は、ネジ５４が締められていない状態（非固定状態）では、平板７８と曲板８０とが密着せずに隙間を空けつつ連結され、第２の開放端９２の幅（第２の下板８８の先端と平板７８の下半分部分の下端との間の距離）が棒状部材２６の直径（例えば１．０ｃｍ）よりも若干長く（広く）なるように形成されている（例えば１．２ｃｍ）。そして第２の空間９０は、その左右側も開放されているため、第２の取付部６４は、第２の空間９０に図中左右方向に延びる第２の棒状部材２６−２を下方向から受け入れることができる。
【００５６】
そして第２の取付部６４がこのようにして第２の棒状部材２６−２を受け入れた後にネジ５４が締められると、第２の取付部６４は、平板７８と曲板８０とが密着して隙間を空けずに連結され、第２の開放端９２の幅が棒状部材２６の直径（例えば１．０ｃｍ）よりも短く（狭く）なるように形成されている（例えば０．７ｃｍ）。そして第２の取付部６４は、ネジ５４が締められた状態（固定状態）では、平板７８の下半分部分と第２の上板８４と前板８６と第２の下板８８とが、第２の棒状部材２６−２の後側部、上部、前側部、下部に対して密着することにより、景品載置部５６の上下方向への移動および横方向への移動を規制する。すなわち本実施形態では、ネジ５４が締められた状態（固定状態）において、第２の下板８８が、第２の棒状部材２６−２に対する景品載置部５６の上方向への移動を規制する固定部６６として機能する。
【００５７】
３−２．景品載置部の取り付け手順
図１３（Ａ）〜（Ｃ）は、管理者が景品載置部５６を第１の棒状部材２６−１および第２の棒状部材２６−２に取り付ける手順を示す側面図である。なお、図１３（Ａ）〜（Ｃ）の例では、第１の棒状部材２６−１および第２の棒状部材２６−２は、互いに平行となるように配置されている。本実施形態では管理者は、まず、図１３（Ａ）に示すように、第１の棒状部材２６−１が第１の開放端７６から第１の空間７４に受け入れられるように景品載置部５６を移動させ、第１の取付部６２を第１の棒状部材２６−１に取り付ける。
【００５８】
そして管理者は、図１３（Ｂ）に示すように、第２の取付部６４を、ネジ５４が締められていない状態（非固定状態）にしておき、第１の取付部６２が第１の棒状部材２６−１に取り付けられた状態で、第２の棒状部材２６−２が第２の開放端９２から第２の空間９０に受け入れられるように景品載置部５６を回動させ、第２の取付部６４を第２の棒状部材２６−２に取り付ける。このとき管理者は、第２の棒状部材２６−２が配置されている位置に第２の取付部６４の位置を合わせるように、景品載置部５６を第１の棒状部材２６−１に対して横方向（景品載置面６０に沿う方向）に移動させながら回動させる。
【００５９】
そして管理者は、図１３（Ｃ）に示すように、第２の取付部６４を第２の棒状部材２６−２に取り付けると、第２の取付部６４のネジ５４を締め、第２の取付部６４を第２の棒状部材２６−２に対して固定させる。すなわち管理者は、第２の取付部６４のネジ５４が締められた状態（固定状態）にすることにより、第２の下板８８を固定部６６として機能させる。
【００６０】
こうして本実施形態では、第１の取付部６２と第２の取付部６４と固定部６６とによって、景品載置部５６を第１の棒状部材２６−１および第２の棒状部材２６−２に対して安定的に取り付けることができる。従って、例えば図１に示した景品保持部１２が景品載置部５６の端部において保持動作を行うことにより景品載置部５６に対して保持動作を行ってしまうような場合でも、景品載置部５６が第１の棒状部材２６−１および第２の棒状部材２６−２から外れてしまうような事態を防止することができる。そして上述した取り付け手順の逆の手順によれば、景品載置部５６を第１の棒状部材２６−１および第２の棒状部材２６−２から簡単に取り外すことができる。
【００６１】
なお図１０に示すように、本実施形態の景品載置部５６には、景品載置面６０の裏面の各辺に、各辺に沿った軸回りに回転する円筒形状のローラ９４が設けられている。これにより本実施形態では、景品保持部１２が景品載置部５６の端部において保持動作を行うことにより景品載置部５６に対して保持動作を行ってしまうような場合でも、ローラ９４が回転することにより景品保持部１２のアーム部３６が景品載置部５６に引っかかることを防止することができる。従って本実施形態では、景品保持部１２が景品載置部５６に対して保持動作を行うことにより景品保持部１２が第１の棒状部材２６−１および第２の棒状部材２６−２から外れてしまうこと、あるいは景品保持部１２が破損してしまうことを防止することができる。
【００６２】
３−３．景品載置部の取り付け態様
図１４（Ａ）〜（Ｃ）は、第１の棒状部材２６−１および第２の棒状部材２６−２の位置関係が変化する場合の景品載置部５６の取り付け態様を示す側面図である。図１４（Ａ）の場合では、第１の棒状部材２６−１が第１の支持部２８および第２の支持部３０の第１行第１列の穴部３８−１１に挿入され、第２の棒状部材２６−２が第１の支持部２８および第２の支持部３０の第１行第７列の穴部３８−１７に挿入されている。そしてこのような場合に第１の取付部６２が第１の棒状部材２６−１に、第２の取付部６４が第２の棒状部材２６−２に取り付けられると、第１の棒状部材２６−１は第１の空間７４内の最奥
部において後板７０と接触する状態となる。すなわち本実施形態では、図１４（Ａ）の場合における第１の棒状部材２６−１と第２の棒状部材２６−２との間の距離が、第１の取付部６２が第１の棒状部材２６−１に取り付けられるとともに第２の取付部６４が第２の棒状部材２６−２に取り付けられることができる最短の距離となっている。
【００６３】
ここで本実施形態では、上述したように第１の棒状部材２６−１および第２の棒状部材２６−２は、第１の支持部２８および第２の支持部３０に設けられた任意の穴部３８に挿入されることにより、配置位置が変更される。例えば図１４（Ｂ）の場合では、第１の棒状部材２６−１が第１の支持部２８および第２の支持部３０の第１行第１列の穴部３８−１１に挿入され、第２の棒状部材２６−２が第１の支持部２８および第２の支持部３０の第２行第７列の穴部３８−２７に挿入されている。すなわち図１４（Ｂ）の場合では、第１の棒状部材２６−１と第２の棒状部材２６−２との間の距離が、図１４（Ａ）の場合よりも長くなっている。そしてこのような場合に第１の取付部６２が第１の棒状部材２６−１に、第２の取付部６４が第２の棒状部材２６−２に取り付けられると、第１の棒状部材２６−１は第１の空間７４内の中央部に位置することとなる。
【００６４】
また、図１４（Ｃ）の場合では、第１の棒状部材２６−１が第１の支持部２８および第２の支持部３０の第１行第１列の穴部３８−１１に挿入され、第２の棒状部材２６−２が第１の支持部２８および第２の支持部３０の第３行第６列の穴部３８−３６に挿入されている。すなわち図１４（Ｃ）の場合では、第１の棒状部材２６−１と第２の棒状部材２６−２との高低差が、図１４（Ｂ）の場合よりも大きくなっているが、第１の棒状部材２６−１と第２の棒状部材２６−２との間の距離は、図１４（Ｂ）の場合よりも若干短くなっている。そしてこのような場合に第１の取付部６２が第１の棒状部材２６−１に、第２の取付部６４が第２の棒状部材２６−２に取り付けられると、第１の棒状部材２６−１は第１の空間７４内の中央部よりもやや後板７０寄りに位置することとなる。
【００６５】
このように本実施形態では、第１の取付部６２と第２の取付部６４とが固定的に設けられているが、第１の空間７４の奥行き（景品載置面６０に沿う方向の距離）が複数本分の棒状部材２６の直径に対応するように第１の取付部６２が形成されているので、第１の棒状部材２６−１と第２の棒状部材２６−２との位置関係が変化しても、第１の取付部６２を第１の棒状部材２６−１に取り付けるとともに、第２の取付部６４を第２の棒状部材２６−２に取り付けることができる。すなわち本実施形態では、第１の取付部６２が、横方向（景品載置面６０に沿う方向）の異なる位置において第１の棒状部材２６−１に対する景品載置部５６の上下方向への移動を規制する。
【００６６】
従って本実施形態によれば、景品載置部５６を第１の棒状部材２６−１および第２の棒状部材２６−２に対して水平状態で取り付けることができるだけでなく、図１４（Ｂ）、図１４（Ｃ）に示すように、斜め状態で取り付けることができる。こうして本実施形態では、景品誘導空間２２の上方において景品載置部５６を様々な態様で安定的に配置することができる。
【００６７】
３−４．景品載置部の種類
図１５（Ａ）〜（Ｃ）は、景品載置部５６の裏面の外観を示す平面図である。図１５（Ａ）に示す景品載置部５６は、図８で示した景品載置部５６と同一のものであり、長辺が図８で示した枠部４８の内周の一辺の長さとほぼ同一の長さで、短辺が枠部４８の内周の一辺の長さの約３分の１の長さの長方形状に形成されている。そして、景品載置部５６の裏面の右側において、短辺に沿う方向で向かい合うように一組の第１の取付部６２および第２の取付部６４が設けられており、同様に左側においても、短辺に沿う方向で向かい合うように一組の第１の取付部６２および第２の取付部６４が設けられている。これにより景品載置部５６は、第１の棒状部材２６−１および第２の棒状部材２６−２に対して同時
に４箇所において取り付けられることができる。また景品載置部５６の裏面には、長辺に沿う方向で向かい合うように一組の第１の取付部６２および第２の取付部６４が設けられている。これにより景品載置部５６は、第１の棒状部材２６−１および第２の棒状部材２６−２に対する景品載置部５６の向きを変化させて取り付けられることができる。
【００６８】
また本実施形態では、図１５（Ａ）に示した景品載置部５６の他に、景品載置面６０の形状、大きさが異なる複数種類の景品載置部５６が用意されている。例えば図１５（Ｂ）に示す景品載置部５６は、長辺が図８で示した枠部４８の内周の一辺の長さの約３分の２の長さで、短辺が枠部４８の内周の一辺の長さの約３分の１の長さの長方形状に形成されている。そして図１５（Ｂ）に示す景品載置部５６についても、その裏面の右側と左側において、短辺に沿う方向で向かい合うように二組の第１の取付部６２および第２の取付部６４が設けられており、長辺に沿う方向で向かい合うように一組の第１の取付部６２および第２の取付部６４が設けられている。
【００６９】
また図１５（Ｃ）に示す景品載置部５６は、１辺が図８で示した枠部４８の内周の一辺の長さの約３分の１の長さの正方形状に形成されている。そして図１５（Ｃ）に示す景品載置部５６については、その裏面において、図中上下方向で向かい合うように一組の第１の取付部６２および第２の取付部６４が設けられ、図中左右方向で向かい合うように一組の第１の取付部６２および第２の取付部６４が設けられている。
【００７０】
従って本実施形態では、このような３種類の景品載置部５６を配置する位置や向きの組み合わせにより、景品誘導空間２２の上方において景品載置エリア１６を様々な態様で形成することができる。
【００７１】
４．景品獲得ゲーム装置の機能ブロック図
図１６は、本実施形態の景品獲得ゲーム装置１０の機能を示すブロック図である。なお、図１６の構成要素（各部）の一部を省略した構成としてもよい。
【００７２】
検出部１００は、図１に示した景品保持部１２の前後左右方向への移動量を検出するとともに、景品保持部１２が下方向に移動することにより景品や景品載置部５６などに接触したことを検出するものであり、各種センサにより実現できる。
【００７３】
操作部１０２は、プレーヤから操作情報の入力を受付け、操作情報を処理部２００に伝達するためのものであり、ボタンやレバーなどにより実現できる。
【００７４】
設定部１０４は、管理者から設定情報の入力を受付け、設定情報を処理部２００に伝達するためのものであり、ボタンやレバーなどにより実現できる。この設定情報としては、例えば、ゲームフィールド２０のうち景品載置エリア１６とされている領域を特定するための情報や、開口エリア１８とされている領域を特定するための情報などが含まれる。本実施形態では、図１に示したゲームフィールド２０をマトリクス状に９分割した各領域が、開口エリア１８とされているか否かを特定するための情報が、設定情報として設定部１０４に入力される。
【００７５】
動力部１０６は、処理部２００からの制御信号に従って駆動されることにより、図１に示した景品保持部１２をゲームフィールド２０の上方において前後左右上下方向に移動させるとともに、景品保持部１２の２本のアーム部３６を開閉させるものであり、各種モータにより実現できる。
【００７６】
記憶部１０８は、処理部２００などのワーク領域となるものであり、その機能はＲＡＭなどのハードウェアにより実現できる。
【００７７】
情報記憶媒体１１０（コンピュータにより読み取り可能な媒体）は、プログラムやデータなどを格納するものであり、その機能は、光ディスク（ＣＤ、ＤＶＤ）、光磁気ディスク（ＭＯ）、磁気ディスク、ハードディスク、磁気テープ、或いはメモリ（ＲＯＭ）などにより実現できる。この情報記憶媒体１１０には、処理部２００において種々の処理を行うためのプログラムやデータが記憶されている。即ち、この情報記憶媒体１１０には、本実施形態の各部としてコンピュータを機能させるためのプログラム（各部の処理をコンピュータに実行させるためのプログラム）が記憶されている。
【００７８】
処理部２００（プロセッサ）は、検出部１００、操作部１０２、設定部１０４からのデータやプログラムなどに基づいて、ゲーム処理、表示制御処理、音生成処理などの処理を行う。この処理部２００は、記憶部１０８をワーク領域として各種処理を行い、その機能は各種プロセッサ（ＣＰＵ、ＤＳＰ等）、各種集積回路（ＩＣ、ＡＳＩＣ）などのハードウェアや、プログラムにより実現できる。
【００７９】
特に、本実施形態の処理部２００は、ゲーム処理部２０２、移動・動作制御部２０４、設定変更部２０６を含む。なお、これらの一部を省略する構成としてもよい。
【００８０】
ゲーム処理部２０２は、検出部１００、操作部１０２、設定部１０４からのデータやプログラムなどに基づいて、ゲーム開始条件が満たされた場合にゲームを開始する処理、ゲームを進行させる処理、或いはゲーム終了条件が満たされた場合にゲームを終了させる処理などの種々のゲーム処理を行う。
【００８１】
移動・動作制御部２０４は、検出部１００、操作部１０２、設定部１０４からのデータやプログラムなどに基づいて、動力部１０６の駆動を制御することにより、景品保持部１２の移動・動作の制御を行う。特に移動・動作制御部２０４は、景品保持部１２に保持動作を行わせた後に、開口エリア１８とされている領域を特定するための情報に基づいて、景品保持部１２を開口エリア１８の上方の位置へ自動的に移動させる。そして移動・動作制御部２０４は、景品保持部１２が開口エリア１８の上方の位置に到達すると、景品保持部１２に２本のアーム部３６を開く開放動作を行わせる。
【００８２】
設定変更部２０６は、設定部１０４からのデータやプログラムなどに基づいて、各種情報の設定値を変更する。特に設定変更部２０６は、設定部１０４に入力された設定情報に基づいて、開口エリア１８とされている領域を特定するための設定値を変更する。
【００８３】
５．変形例
上記実施形態で説明した手法は、一例を示したに過ぎず、上記実施形態の手法と同様の効果を奏する均等な手法を採用した場合においても本発明の範囲に含めることができる。また本発明は、上記実施形態で説明したものに限らず、種々の変形実施が可能である。そして上記実施形態の手法や、変形例として後述する各種の手法は、本発明を実現する手法として適宜組み合わせて採用することができる。
【００８４】
例えば上述した実施形態では、景品誘導空間２２が、ゲームフィールド２０のほぼ全面に対応した範囲で上部が矩形状に開口されている例を挙げて説明したが、景品誘導空間２２が開口されている範囲、形状は、種々の態様に変更することができる。
【００８５】
また第１の支持部２８および第２の支持部３０の形状や大きさ、第１の取付部６２および第２の取付部６４の形状や大きさ、景品載置部５６の形状や大きさ、棒状部材２６の断面形状や長さ、第１の支持部２８および第２の支持部３０に設けられる穴部３８の形状、大きさ、位置、数、枠部４８の内周面や景品載置部５６の側面に設けられる取付位置の位
置や数などは、各部の機能を実現することができる範囲で任意のものを採用することができる。
【００８６】
また上述した実施形態では、第１の取付部６２および第２の取付部６４が景品載置部５６に固定的に設けられていることにより、第１の棒状部材２６−１および第２の棒状部材２６−２が互いに平行に設けられている状態で、これらに景品載置部５６が取り付けられる例を挙げて説明したが、第１の取付部６２および第２の取付部６４の少なくとも一方が、景品載置面６０に対して向きを変更できるように設けられるようにしてもよい。この場合には、第１の棒状部材２６−１および第２の棒状部材２６−２が互いに平行に設けられていない状態であっても、これらに景品載置部５６を取り付けることができる。
【００８７】
また第１の取付部６２および第２の取付部６４の少なくとも一方が、景品載置面６０に対して位置を変更できるように設けられるようにしてもよい。この場合には、第１の取付部６２および第２の取付部６４の少なくとも一方の位置を、景品載置部５６が第１の棒状部材２６−１および第２の棒状部材２６−２に取り付けられる状態における第１の棒状部材２６−１および第２の棒状部材２６−２に沿う方向に調整可能にしてもよいし、第１の棒状部材２６−１および第２の棒状部材２６−２と交差する方向に調整可能にしてもよい。
【００８８】
また上述した実施形態では、第２の取付部６４は、ネジ５４が締められていない状態では、第２の開放端９２の幅が広くなることにより第２の空間９０に棒状部材２６を受け入れ、その後にネジ５４が締められると、第２の開放端９２の幅が狭くなることにより、固定部６６が、棒状部材２６に対する景品載置部５６の上方向への移動を規制する例を挙げて説明したが、図１７に示すように、固定部６６が、第２の開放端９２が形成される状態と、第２の開放端９２が形成されない状態との間で可動となるように第２の取付部６４に設けられるようにしてもよい。この場合には、第２の取付部６４は、固定部６６が第２の開放端９２が形成される状態で第２の空間９０に第２の棒状部材２６−２を受け入れ、その後に固定部６６が第２の開放端９２が形成されない状態で固定されることにより、固定部６６が、棒状部材２６に対する景品載置部５６の上方向への移動を規制するようにしてもよい。
【符号の説明】
【００８９】
１０  景品獲得ゲーム装置、１２  景品保持部、１４  透明板、１６  景品載置エリア、１８  開口エリア、２０  ゲームフィールド、２２  景品誘導空間、２４  景品取出口、２６  棒状部材、２６−１  第１の棒状部材、２６−２  第２の棒状部材、２８  第１の支持部、３０  第２の支持部、３２  第１ボタン、３４  第２ボタン、３６  アーム部、３８  穴部、４０  第１の接触部、４２  ガイド、４４  圧縮バネ、４６  第２の接触部、４８  枠部、５０  板状部材、５２  ネジ穴、５４  ネジ、５６  景品載置部、５８  配置面、６０  景品載置面、６２  第１の取付部、６４  第２の取付部、６６  固定部、６８  第1の下板、７０  後板、７２  第１の上板、７４  第１の空間、７６  第１の開放端、７８  平板、８０  曲板、８２  連結板、８４  第２の上板、８６  前板、８８  第２の下板、９０  第２の空間、９２  第２の開放端、９４  ローラ、１００  検出部、１０２  操作部、１０４  設定部、１０６  動力部、１０８  記憶部、１１０  情報記憶媒体、２００  処理部、２０２  ゲーム処理部、２０４  移動・動作制御部、２０６  設定変更部
【図１】
0005379273.tif 000002
【図２】
0005379273.tif 000003
【図３】
0005379273.tif 000004
【図４】
0005379273.tif 000005
【図５】
0005379273.tif 000006
【図６】
0005379273.tif 000007
【図７】
0005379273.tif 000008
【図８】
0005379273.tif 000009
【図９】
0005379273.tif 000010
【図１０】
0005379273.tif 000011
【図１１】
0005379273.tif 000012
【図１２】
0005379273.tif 000013
【図１３】
0005379273.tif 000014
【図１４】
0005379273.tif 000015
【図１５】
0005379273.tif 000016
【図１６】
0005379273.tif 000017
【図１７】
0005379273.tif 000018